(57)【要約】      （修正有）【課題】放射ノイズを低減させることができる電子機器を提供する。【解決手段】撮像装置は、シャーシ、プリント回路基板１、カードスロット２及びグラウンド接続補助部材３を備える。カードスロット２は、装着されるカードに対するカード接続用クロック端子と、プリント回路基板１に対する基板接続用クロック端子８を有し、プリント回路基板１に実装される。グラウンド接続補助部材３は、カードスロット２との間に所定の間隙を有して対面する平面部を有し、プリント回路基板１に電気的に接続される。平面部の平面と直交する方向から見たときに、平面部において基板接続用クロック端子８と対面する領域に開口３ａを設ける。【選択図】図３
2020107667.tif 000002
【特許請求の範囲】
【請求項１】
筐体と、
前記筐体に固定される回路基板と、
装着される記録媒体に対する接続用クロック端子と、前記回路基板に対する基板接続用クロック端子とを有し、前記回路基板に実装され、且つ、前記記録媒体を収納する収納部材と、
前記収納部材との間に所定の間隙を設けて対面する平面部を有し、且つ、前記回路基板と電気的に接続される板金部材と、を備える電子機器であって、
前記平面部の平面と直交する方向から見たときに、前記板金部材の前記平面部において前記基板接続用クロック端子と対面する領域が開口していることを特徴とする電子機器。
【請求項２】
前記平面部の平面と直交する方向から見たときに、前記板金部材の前記平面部において前記接続用クロック端子と対面する領域が開口していることを特徴とする請求項１に記載の電子機器。
【請求項３】
前記板金部材の前記平面部において前記基板接続用クロック端子と対面する領域は、切り欠かれ又は穴部が形成されていることを特徴とする請求項１又は２に記載の電子機器。
【請求項４】
前記筐体に配置される導電性部材を備え、
前記板金部材は、前記収納部材の近傍において前記導電性部材と電気的に接続されていることを特徴とする請求項１乃至３のいずれか１項に記載の電子機器。
【請求項５】
前記回路基板に実装されたコネクタを有し、
前記コネクタは前記板金部材と接触せず、且つ、前記平面部の平面と直交する方向から見たときに前記板金部材の前記平面部は前記コネクタと対面する領域を有さない形状であることを特徴とする請求項１乃至４のいずれか１項に記載の電子機器。
【請求項６】
前記板金部材は前記回路基板に対して３カ所で接続され、
前記板金部材の前記平面部において前記３カ所の接続部を結ぶ線で構成される三角形の面に対応する部分が前記収納部材の半分以上の面積を覆うことを特徴とする請求項１乃至５のいずれか１項に記載の電子機器。
【請求項７】
前記回路基板は前記筐体に対して３カ所で接続され、
前記板金部材の前記平面部において前記３カ所の接続部を結ぶ線で構成される三角形の面に対応する部分が前記収納部材の半分以上の面積を覆うことを特徴とする請求項１乃至５のいずれか１項に記載の電子機器。
【請求項８】
前記筐体は、前記板金部材の平面部を挟んで前記収納部材と対峙する電池ボックスを有し、
前記電池ボックスへは、ケーブルを有する外部電源用部品の装着が可能であり、
前記外部電源用部品が前記電池ボックスに収納された状態で、前記外部電源用部品のグラウンドが前記板金部材と電気的に接続されることを特徴とする請求項１乃至７のいずれか１項に記載の電子機器。
【請求項９】
前記筐体は金属で形成されていることを特徴とする請求項１乃至８のいずれか１項に記載の電子機器。
【請求項１０】
回路基板と
装着される記録媒体に対する接続用クロック端子と、前記回路基板に対する基板接続用クロック端子とを有し、前記回路基板に実装され、且つ、前記記録媒体を収納する収納部材と、
前記収納部材との間に所定の間隙を有して対面する平面部を有し、且つ、前記回路基板に電気的に接続される板金部材と、を備え、
前記平面部の平面と直交する方向から見たときに、前記板金部材の前記平面部において前記基板接続用クロック端子と対面する領域が開口していることを特徴とする収納部材ユニット。
【発明の詳細な説明】
【技術分野】
【０００１】
本発明は、メモリカード等が挿入される収納部材を備える収納部材ユニット及び電子機器に関する。
【背景技術】
【０００２】
電子機器において各種の信号を伝送するための周波数を高くすると、高周波の電磁波が外部へ放射されやすくなる。例えば、メモリカード等の記録媒体を挿抜可能に格納するカードスロットを備える電子機器においてカードスロットに近接して金属部品が配置されている場合、カードスロットで発生したノイズがその金属部品との電磁結合によって放射しやすい部位へ伝搬する。こうして電子機器内を伝搬したノイズが、電子機器に接続されたケーブル等をアンテナとして外部へ放射される場合、国際規格で許容されたノイズ放射レベルをクリアすることが難しくなることがある。
【０００３】
カードスロットと金属部品等の導電性部品との間の距離が短くなるほど、また、対面する面積が大きくなるほど、導電性部品を伝搬するノイズは強くなる傾向がある。そのため、ＥＭＩ（Electro Magnetic Interference）対策は、部品間の距離が短くなっている小型の電子機器で特に留意すべき事項となっている。
【０００４】
放射ノイズレベルを低減する方法としては、電磁波吸収シート等のＥＭＩ対策部品を金属部品に貼り付けるという対策案が考えられる。しかし、この方法では、コストが嵩むという問題や、実装スペースの確保に伴って装置が大型化してしまう等の問題が生じる可能性がある。そこで、メモリカード等のノイズ源をカードスロットでシールドし、メモリカード等のノイズ源の近傍に導電体を設けてノイズを吸収させることで、ノイズを低減する方法が提案されている（例えば、特許文献１参照）。
【先行技術文献】
【特許文献】
【０００５】
【特許文献１】特開２０１５−１９１９８３号公報
【発明の概要】
【発明が解決しようとする課題】
【０００６】
しかしながら、上記特許文献１に記載された技術のように、ノイズを吸収するための導電体をノイズ源となるカードスロットの近傍に設けた場合、導電体との電磁結合により発生したノイズが導電体から外部へ伝搬してしまうおそれがある。
【０００７】
本発明は、放射ノイズを低減させた電子機器を提供することを目的とする。
【課題を解決するための手段】
【０００８】
本発明に係る電子機器は、筐体と、前記筐体に固定される回路基板と、装着される記録媒体に対する接続用クロック端子と、前記回路基板に対する基板接続用クロック端子とを有し、前記回路基板に実装され、且つ、前記記録媒体を収納する収納部材と、前記収納部材との間に所定の間隙を設けて対面する平面部を有し、且つ、前記回路基板と電気的に接続される板金部材と、を備える電子機器であって、前記平面部の平面と直交する方向から見たときに、前記板金部材の前記平面部において前記基板接続用クロック端子と対面する領域が開口していることを特徴とする。
【発明の効果】
【０００９】
本発明によれば、電子機器からの放射ノイズを低減させることができる。
【図面の簡単な説明】
【００１０】
【図１】第１実施形態に係る撮像装置の内部構造を示す斜視図と分解斜視図である。
【図２】カードスロットの正面図である。
【図３】カードスロットとグラウンド接続補助部材がプリント回路基板に取り付けられた状態を示す第１実施形態での正面図である。
【図４】カードスロットとグラウンド接続補助部材がプリント回路基板に取り付けられた状態を示す第２実施形態での正面図である。
【図５】カードスロットがプリント回路基板に実装された状態を示す第３実施形態での正面図である。
【発明を実施するための形態】
【００１１】
以下、本発明の実施形態について、添付図面を参照して詳細に説明する。ここでは、本発明に係る電子機器として撮像装置（具体的には、デジタルカメラ）を取り上げることとするが、本発明に係る電子機器は撮像装置に限定されるものではない。
【００１２】
＜第１実施形態＞
図１（ａ）は、第１実施形態に係る撮像装置の内部構造を示す斜視図である。図１（ｂ）は、第１実施形態に係る撮像装置の分解斜視図である。なお、図１（ａ），（ｂ）では、本発明に関連する部分（部品）のみを示しており、本発明に関連する部分以外の説明は省略する。
【００１３】
撮像装置は、プリント回路基板１、カードスロット２、グラウンド接続補助部材３（板金部材）及びシャーシ４を備える。プリント回路基板１、カードスロット２及びグラウンド接続補助部材３は、カードスロットユニット（収納部材ユニット）を形成する。
【００１４】
シャーシ４は、撮像装置の骨格を形成する部品（筐体）であり、ここでは、金属材料（導電性材料）により形成されているものとする。記録媒体の収納部材であるカードスロット２は、プリント回路基板１に実装されている。カードスロット２は、メモリカード（例えばＳＤカード等の記録媒体）を保持（収納）する部品であり、メモリカードはカードスロット２に対して着脱可能となっている。
【００１５】
グラウンド接続補助部材３は、例えば、板金（金属板）を加工することにより作製されており、プリント回路基板１との間に所定の間隙を設けて対面する平面部を有する。なお、グラウンド接続補助部材３の作製方法は、板金加工に限定されるものではない。グラウンド接続補助部材３には、撮像装置を構成する不図示の導電性部材と電気的に接続されるケーブル１６が電気的に接続される外部接続グラウンド端子１５が設けられている。
【００１６】
また、グラウンド接続補助部材３には、プリント回路基板１と接続されるプリント回路基板接続部１４が２カ所に設けられている。グラウンド接続補助部材３は、２カ所のプリント回路基板接続部１４においてプリント回路基板１に接続（実装）される。そして、グラウンド接続補助部材３は、２カ所のプリント回路基板接続部１４においてシャーシ４に固定される。グラウンド接続補助部材３とシャーシ４は共に導電体（金属部品）であるため、プリント回路基板１は、グラウンド接続補助部材３を介して、グラウンドとなるシャーシ４に電気的に接続される。グラウンド接続補助部材３を用いた構造とすることで、プリント回路基板１のグラウンド配線（不図示）を、電気的に確実に且つ高い機械的強度でグラウンド（シャーシ４）に接続することができる。なお、シャーシ４は部分的に非導電性材料により形成されていてもよいが、グラウンド接続補助部材３との接続部には導電体が用いられる。
【００１７】
図２は、カードスロット２の正面図である。カードスロット２は、基板接続用クロック端子８、複数の端子９（但し、基板接続用クロック端子８を除く）、カード接続用クロック端子１０、複数の端子１１（但し、カード接続用クロック端子１０を除く）を有する。基板接続用クロック端子８と複数の端子９は、プリント回路基板１と電気的に接続される。メモリカード７をカードスロット２に挿入すると、メモリカード７に設けられている端子群（不図示）が、カード接続用クロック端子１０と複数の端子１１に電気的に接続される。
【００１８】
図３は、カードスロット２とグラウンド接続補助部材３がプリント回路基板１に取り付けられた状態を示す第１実施形態での正面図（プリント回路基板１の表裏面（グラウンド接続補助部材３の平面部）と直交する方向から見た図）である。プリント回路基板１には、カードスロット２に加えて、撮像装置と外部機器（不図示）とを電気的に接続するためのコネクタ６（例えば、ＵＳＢ端子、ＨＤＭＩ（登録商標）端子等）が実装されている。
【００１９】
カードスロット２の基板接続用クロック端子８からは強いノイズが発生する。そこで、グラウンド接続補助部材３の平面部は、平面部の平面と直交する方向から見たときに、カードスロット２の基板接続用クロック端子８と重なる領域が生じないように、凹形状部３ａを設けることにより開口している。これにより、カードスロット２とグラウンド接続補助部材３の間でノイズの電磁結合が発生することが抑制され、グラウンド接続補助部材３で発生するノイズを低減させることができる。その結果、グラウンド接続補助部材３に設けられた外部接続グラウンド端子１５に接続されたケーブル１６からの外部へのノイズ漏れを抑制することが可能になることで、ケーブル１６がアンテナとなって大きな放射ノイズが発生することを抑制することができる。
【００２０】
なお、同様の理由で、不図示であるが、平面部の平面と直交する方向から見たときに、グラウンド接続補助部材３の平面部に設ける凹形状部３ａを、カードスロット２のカード接続用クロック端子１０とも重ならない形状に設定することが望ましい。
【００２１】
また、上記構成によれば、ノイズ源となるカードスロット２と対面するグラウンド接続補助部材３の面積を小さくすることでノイズの電磁結合を抑制している。そのため、追加の部品を必要とすることなく、放射ノイズレベルを低減することが可能となっている。
【００２２】
図３の構成での別の特徴について説明する。図３に示されるように、コネクタ６は、グラウンド接続補助部材３と接触しない位置に配置されている。換言すれば、グラウンド接続補助部材３の平面部に設けられた凹形状部３ａは、グラウンド接続補助部材３の平面部の平面と直交する方向から見たときにグラウンド接続補助部材３とコネクタ６とで重なる領域が生じない形状に設計されている。これにより、カードスロット２とグラウンド接続補助部材３の間での電磁結合によってカードスロット２で発生したノイズがグラウンド接続補助部材３に伝搬しても、グラウンド接続補助部材３からコネクタ６へのノイズの伝搬を抑制することができる。その結果、コネクタ６に接続された不図示のケーブルがアンテナとなってノイズが外部へ放射されることを抑制することができる。
【００２３】
ところで、第１実施形態での撮像装置では、カードスロット２の近傍においてシャーシ４に電池１７（図１参照）の収納スペースである電池ボックスが設けられる。そして、共通する蓋部材の開閉操作を通じて、カードスロット２に対するメモリカード７の挿抜とシャーシ４に対する電池１７の挿抜を行うことが可能となっている。また、電池ボックスに収納された電池１７は、グラウンド接続補助部材３を挟んで、カードスロット２と対峙する。
【００２４】
ここで、電池１７の代わりに外部電源を接続するための不図示の部品（以下「外部電源用部品」という）が電池ボックスに装着された状態を考える。外部電源用部品は、外部電源との接続を可能とする不図示のケーブルを有する。外部電源用部品が電池ボックスに装着された状態では、外部電源用部品のグラウンドがグラウンド接続補助部材３と電気的に接続される。このとき、前述の通り、グラウンド接続補助部材３は、カードスロット２及びコネクタ６に対してノイズの電磁結合が生じ難い構成となっているため、外部電源用部品のケーブルからのノイズの放射を抑制することができる。
【００２５】
＜第２実施形態＞
第２実施形態での説明において、第１実施形態と共通する部品及び各部については同じ符号を付して、共通する説明を省略する。図４は、カードスロット２とグラウンド接続補助部材３がプリント回路基板１に取り付けられた状態を示す第２実施形態での正面図である。
【００２６】
第１実施形態では、凹形状部３ａを有するグラウンド接続補助部材３について説明した。これに対して、第２実施形態でのグラウンド接続補助部材３の平面部には、凹形状部３ａに代えて、穴部３ｂと凹形状部３ｃが設けられている。穴部３ｂは、グラウンド接続補助部材３の平面部の平面と直交する方向から見たときに、カードスロット２の基板接続用クロック端子８及びカード接続用クロック端子１０と対面する領域に設けられている。これにより第１実施形態と同様に、カードスロット２とグラウンド接続補助部材３の間でノイズの電磁結合が発生することを抑制することができる。また、凹形状部３ｃは、グラウンド接続補助部材３の平面部の平面と直交する方向から見たときに、コネクタ６と対面する領域に、つまり、コネクタ６が実装される位置を避ける形状で、設けられている。これにより、グラウンド接続補助部材３からコネクタ６へのノイズの伝搬を抑制することが可能となっている。
【００２７】
＜第３実施形態＞
第３実施形態での説明において、第１実施形態と共通する部品及び各部については同じ符号を付して、共通する説明を省略する。第３実施形態では、プリント回路基板１に対するグラウンド接続補助部材３の接続部の配置とグラウンド接続補助部材３の形状との関係について説明する。
【００２８】
図５は、プリント回路基板１にカードスロット２が実装された状態を示す第３実施形態での正面図である。グラウンド接続補助部材３（図５に不図示）又はシャーシ４とプリント回路基板１との接続部１２が３カ所に設けられるものとする。この場合、グラウンド接続補助部材３の平面部の平面と直交する方向から見て、グラウンド接続補助部材３の平面部において３カ所の接続部１２を結ぶ破線１３で構成される三角形の面に対応する部分が、カードスロット２の半分以上の面積を覆うことが望ましい。換言すれば、シャーシ４、グラウンド接続補助部材３及びプリント回路基板１の形状と接続部１２の位置は、このような条件が成り立つように設計される。
【００２９】
その場合、外部から撮像装置へ静電気が印可されても、外部接続グラウンド端子１５からグラウンドへ電流を流すことが可能となっているため、メモリカード７やプリント回路基板１に実装されたＩＣ（不図示）等の電機部品を保護することができる。なお、グラウンド接続補助部材３の基本的な形状は、第１実施形態及び第２実施形態での説明に準ずる。よって、グラウンド接続補助部材３による放射ノイズの抑制効果は、第１実施形態及び第２実施形態と同様に得ることができる。
【００３０】
以上、本発明の好ましい実施形態について説明したが、本発明はこれらの実施形態に限定されず、その要旨の範囲内で種々の変形及び変更が可能である。また、上記各実施形態で説明した部品や部位等の材質、形状、寸法、形態、数、配設位置等は、本発明の要旨を逸脱しない範囲において、適宜、変更可能である。
【符号の説明】
【００３１】
１    プリント回路基板
２    カードスロット
３    グラウンド接続補助部材
３ａ，３ｃ    凹形状部
３ｂ    穴部
４    シャーシ
６    コネクタ
７    メモリカード
８    基板接続用クロック端子
１０    カード接続用クロック端子
１２    接続部
１４    プリント回路基板接続部
１５    外部接続グラウンド端子
【図１】
2020107667.tif 000003
【図２】
2020107667.tif 000004
【図３】
2020107667.tif 000005
【図４】
2020107667.tif 000006
【図５】
2020107667.tif 000007
【手続補正書】
【提出日】令和1年9月24日(2019.9.24)
【手続補正２】
【補正対象書類名】明細書
【補正対象項目名】０００１
【補正方法】変更
【補正の内容】
【０００１】
本発明は、メモリカード等が挿入される収納部材を備える収納ユニット及び電子機器に関する。
【手続補正３】
【補正対象書類名】明細書
【補正対象項目名】０００８
【補正方法】変更
【補正の内容】
【０００８】
本発明に係る電子機器は、筐体と、前記筐体に固定される回路基板と、前記回路基板に実装され、記録媒体を収納する収納部材と、前記回路基板と電気的に接続される板金部材と、を備える電子機器であって、前記収納部材は、前記収納部材に収納された記録媒体に接続される記録媒体接続用クロック端子と、前記回路基板に接続される基板接続用クロック端子と、を有し、前記板金部材は、前記収納部材との間に所定の間隙を設けて対面する平面部を有し、前記平面部の平面と直交する方向から見たときに、前記平面部において前記基板接続用クロック端子と対面する領域が開口していることを特徴とする。
【手続補正４】
【補正対象書類名】明細書
【補正対象項目名】００１３
【補正方法】変更
【補正の内容】
【００１３】
撮像装置は、プリント回路基板１、カードスロット２、グラウンド接続補助部材３（板金部材）及びシャーシ４を備える。プリント回路基板１、カードスロット２及びグラウンド接続補助部材３は、カードスロットユニット（収納ユニット）を形成する。
【手続補正５】
【補正対象書類名】明細書
【補正対象項目名】００１４
【補正方法】変更
【補正の内容】
【００１４】
シャーシ４は、撮像装置の骨格を形成する部品（筐体）であり、ここでは、金属材料（導電性材料）により形成されているものとする。記録媒体を収納する収納部材であるカードスロット２は、プリント回路基板１に実装されている。カードスロット２は、メモリカード（例えばＳＤカード等の記録媒体）を保持（収納）する部品であり、メモリカードはカードスロット２に対して着脱可能となっている。
【手続補正６】
【補正対象書類名】特許請求の範囲
【補正対象項目名】全文
【補正方法】変更
【補正の内容】
【特許請求の範囲】
【請求項１】
筐体と、
前記筐体に固定される回路基板と、
前記回路基板に実装され、記録媒体を収納する収納部材と、
前記回路基板と電気的に接続される板金部材と、を備える電子機器であって、
前記収納部材は、
前記収納部材に収納された記録媒体に接続される記録媒体接続用クロック端子と、
前記回路基板に接続される基板接続用クロック端子と、を有し、
前記板金部材は、前記収納部材との間に所定の間隙を設けて対面する平面部を有し、前記平面部の平面と直交する方向から見たときに、前記平面部において前記基板接続用クロック端子と対面する領域が開口していることを特徴とする電子機器。
【請求項２】
前記平面部の平面と直交する方向から見たときに、前記平面部において前記記録媒体接続用クロック端子と対面する領域が開口していることを特徴とする請求項１に記載の電子機器。
【請求項３】
前記平面部において前記基板接続用クロック端子と対面する領域は、切り欠かれ又は穴部が形成されていることを特徴とする請求項１又は２に記載の電子機器。
【請求項４】
前記筐体に配置される導電性部材を備え、
前記板金部材は、前記収納部材の近傍において前記導電性部材と電気的に接続されていることを特徴とする請求項１乃至３のいずれか１項に記載の電子機器。
【請求項５】
前記回路基板に実装されたコネクタを有し、
前記コネクタは前記板金部材と接触せず、且つ、前記平面部の平面と直交する方向から見たときに前記平面部は前記コネクタと対面する領域を有さないことを特徴とする請求項１乃至４のいずれか１項に記載の電子機器。
【請求項６】
前記板金部材は前記回路基板に対して３カ所で接続され、
前記平面部の平面と直交する方向から見たときに、前記平面部において前記３カ所の接続部を結ぶ線で構成される三角形の面に対応する部分が前記収納部材の半分以上の面積を覆うことを特徴とする請求項１乃至５のいずれか１項に記載の電子機器。
【請求項７】
前記回路基板は前記筐体に対して３カ所で接続され、
前記平面部の平面と直交する方向から見たときに、前記平面部において前記３カ所の接続部を結ぶ線で構成される三角形の面に対応する部分が前記収納部材の半分以上の面積を覆うことを特徴とする請求項１乃至５のいずれか１項に記載の電子機器。
【請求項８】
前記筐体は、前記板金部材の平面部を挟んで前記収納部材と対峙する電池ボックスを有し、
前記電池ボックスへは、ケーブルを有する外部電源用部品の装着が可能であり、
前記外部電源用部品が前記電池ボックスに収納された状態で、前記外部電源用部品のグラウンドが前記板金部材と電気的に接続されることを特徴とする請求項１乃至７のいずれか１項に記載の電子機器。
【請求項９】
前記筐体は金属で形成されていることを特徴とする請求項１乃至８のいずれか１項に記載の電子機器。
【請求項１０】
回路基板と
前記回路基板に実装され、記録媒体を収納する収納部材と、
前記回路基板に電気的に接続される板金部材と、を備え、
前記収納部材は、
前記収納部材に収納された記録媒体に接続される記録媒体接続用クロック端子と、
前記回路基板に接続される基板接続用クロック端子と、を有し、
前記板金部材は、前記収納部材との間に所定の間隙を設けて対面する平面部を有し、前記平面部の平面と直交する方向から見たときに、前記平面部において前記基板接続用クロック端子と対面する領域が開口していることを特徴とする収納ユニット。